(57)【要約】  【課題】  空気調和機の室外機において，電装ボックスを有する室外機内の送風装置の取り付けを容易にすること，そして，多機種の空気調和機間において送風装置の支持部材の共有化を実現すること。  【課題を解決するための手段】  圧縮機１５，熱交換器１０，送風装置Ｚ，送風装置支持部材Ｙ，電装箱１２及びこれらを収容する筐体１４等を備えてなる空気調和機の室外機Ｘにおいて，上記電装箱１２を送付ファン収容室１８の上部に設け，室外機Ｘの筐体１４の底面１４ｃに立設され鉛直方向に伸びる送風装置支持部材Ｙの上端部を上記電装箱１２の下面に取り付けるよう構成する。【選択図】図２
2006226644.tif 000002
【特許請求の範囲】
【請求項１】
冷媒を圧縮する圧縮機と，該圧縮機により循環される冷媒と外気との間で熱交換する熱交換器と，該熱交換器に外気を送風する送風装置と，少なくとも上記送風装置を支持する送風装置支持部材と，当該室外機に用いられる電気機器を収容する電装ボックスと，これらを収容する筐体とを備えてなる空気調和機の室外機であって，
上記電装ボックスが上記送風装置を収容する空間の上部に設けられ，
上記筐体の底面に立設され鉛直方向に伸びる上記送風装置支持部材の上部に上記電装ボックスが取り付けられてなることを特徴とする空気調和機の室外機。
【請求項２】
上記筐体の内部を，上記送風装置を収容する空間と他の空間とに仕切る仕切板を更に備え，
上記電装ボックスの一部或いは全体が上記仕切板及び／又は上記筐体により支持されてなる請求項１に記載の空気調和機の室外機。
【請求項３】
上記電装ボックスが，上記送風装置を収容する空間と他の空間とに亘って配設されてなる請求項１又は２のいずれかに記載の空気調和機の室外機。
【請求項４】
上記送風装置支持部材が，鉛直方向に伸びる少なくとも左右一対の支柱部材と，該支柱部材に取付可能な上記送風装置の取付部材とを有してなる請求項１〜３のいずれかに記載の空気調和機の室外機。
【請求項５】
上記送風装置支持部材が，上記支柱部材若しくは上記取付部材に取付可能に設けられ，上記熱交換器を支持する熱交換器支持部材を更に有してなる請求項４に記載の空気調和機の室外機。
【請求項６】
上記支柱部材が，上記取付部材を複数の位置に取り付けるための複数の取付部を備えてなる請求項４又は５のいずれかに記載の空気調和機の室外機。
【発明の詳細な説明】
【技術分野】
【０００１】
本発明は，空気調和機の室外機に関し，詳しくは，室外機が備える送風装置を支持する支持部材の取付構造及び送風装置の支持構造に関するものである。
【背景技術】
【０００２】
従来，圧縮機，熱交換器，送風装置等が収容された室外機（室外ユニット）と室内機（室内ユニット）とに分離されたいわゆる分離型の空気調和機が公知である。上記室外機が備える送風装置は，回転可能に軸支された送風ファンと該送風ファンを回転駆動させる電動機（交流モータ等）等により構成されており，上記熱交換器に対して送風するために，上記送風装置の電動機は上記熱交換器の前面側に設けられた支持部材（送風装置支持部材に相当）にビス止めなどにより固定されている。
上記送風装置の取付構造としては，従来から種々の構造が提案されており，例えば特許文献１及び２には，支持部材の下端部を筐体の底面に固定し，上端部を熱交換器に掛止させた上で，更にその上端部を室外機の筐体の天板で下方へ圧接させることにより上記支持部材を固定する取付構造が提案されている。これにより，上記送風装置の取り付けが容易となる。
【特許文献１】特開平９−１９６４１３号公報
【特許文献２】特開２００１−２２１４６３号公報
【発明の開示】
【発明が解決しようとする課題】
【０００３】
ところで，上記室外機には，該室外機で用いられる電気機器などを収容する電装ボックスも備えられている。従来，この電装ボックスに収容される電気機器といえば，単純な制御回路や電源回路などであったが，近年の空気調和機の多機能化或いは制御の複雑化に伴い，該電装ボックスに収容される機器は増加，複雑化し，上記電装ボックスが拡大化する傾向にあり，上記電装ボックスが上記送風装置側に張り出し，上記送風装置の上部に配置されることがある。
しかしながら，このように上記電装ボックスが上記送風装置の上部に配置されると，上記支持部材の上端部の上記熱交換器への掛止，或いは上記支持部材の上端部と室外機の筐体の天板との圧接が上記電装ボックスにより干渉され，上記特許文献１及び２に記載の取付構造を適用することができず，その結果，上記送風装置を容易に取り付けることができないという問題が生じる。
【０００４】
一方，空気調和機の冷暖房能力や，省エネ性能，地域別の適用仕様（寒冷地仕様等），制御手法，オプション機器の有無などの相違により，室外機の熱交換器や圧縮機，送風装置の容量（大きさ）もさまざまであり，室外機の筐体や上記送風装置を支持する支持部材の形状，大きさ等も異なる。したがって，従来，空気調和機の機種別に対応した形状の多種類の支持部材を製作していた。しかしながら，これでは，多種類の支持部材の部品管理が煩雑となるばかりでなく，部品の製造コストの低減化に支障を来たすこととなり，問題である。
従って，本発明は上記事情に鑑みてなされたものであり，その第１の目的とするところは，空気調和機の室外機において電装ボックスを有する室外機内の送風装置の取り付けを容易にすることにあり，その第２の目的とするところは，多機種の空気調和機間において送風装置の支持部材の共有化を実現することにある。
【課題を解決するための手段】
【０００５】
上記目的を達成するために本発明は，圧縮機，熱交換器，送風装置，送風装置支持部材，電装ボックス及びこれらを収容する筐体等を備えてなる空気調和機の室外機に適用され，当該室外機に用いられる電気機器を収容する上記電装ボックスが送風装置を収容する空間の上部に設けられ，室外機の筐体の底面に立設され鉛直方向に伸びる送風装置支持部材の上端部が上記電装ボックスの下面に取り付けられてなる空気調和機の室外機として構成されている。
これにより，上記電装ボックスによる取り付けの干渉を生じることなく，上記送風装置支持部材を容易に取り付けることができる。
また，上記室外機の筐体の内部が，仕切板によって上記送風装置を収容する空間と他の空間とに仕切られている場合は，上記電装ボックスの一部或いは全体が上記仕切板及び／又は上記筐体により支持されてなることが望ましい。
更にまた，上記電装ボックスが上記送風装置を収容する空間と他の空間とに亘って配設されている場合は，従来の取付構造の適用は最も困難となるが，本発明であれば送風装置取付部材を容易に取り付けることが可能となる。
また，上記送風装置支持部材が，鉛直方向に伸びる少なくとも左右一対の支柱部材と，該支柱部材に取付可能な上記送風装置の取付部材とを有して構成されていることが望ましい。これにより，例えば，送風装置の仕様が異なることによりその取付構造が異なる場合であっても，上記送風装置の取付部材のみを代替品に変更するだけで済み，他の部材（支柱部材等）を仕様や機種の異なる室外機間で共通利用することができるため，部品の共有化，およびこれによる部品コストの低減を実現することができる。
さらに，上記送風装置支持部材が，上記支柱部材若しくは上記取付部材に取付可能に設けられ，上記熱交換器を支持する熱交換器支持部材を更に有していることが望ましい。これにより，例えば，熱交換器を上記送風装置支持部材で支持する場合に，室外機の機種毎に熱交換器の厚さが異なることにより送風装置支持部材と交換器との距離が異なる場合であっても，上記熱交換器支持部材のみを適合するサイズに変更するだけでよいので，他の部材の共有化を図ることができる。
また，上記支柱部材が，上記取付部材を複数の位置に取り付けるための複数の取付部を備えてなるものであれば，任意の取付部に送風装置を取り付けることが可能となる。
【発明の効果】
【０００６】
このように本発明によれば，室外機の筐体の底面に立設され鉛直方向に伸びる送風装置支持部材の上端部が電装ボックスの下面に取り付けられるため，上記電装ボックスによる取り付けの干渉が生じることなく，上記送風装置支持部材を容易に取り付けることができる。
また，上記送風装置支持部材が，上記支柱部材と上記取付部材とを有して構成されているため，送風装置の仕様が異なり，その取付構造が異なる場合であっても，上記送風装置の取付部材のみを代替品に変更することで，上記送風装置を取り付けることができるため，取り付けが容易となるだけでなく，他の部材を仕様や機種の異なる室外機間で共通利用することで，部品の共有化を実現することができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る空気調和機の室外機Ｘの構成を示す組立斜視図，図２は送風装置支持部材Ｙが室外機Ｘ内に取り付けられた状態を示す図，図３はモータが取り付けられた状態の送風装置支持部材Ｙの組立斜視図，図４は送風装置支持部材Ｙの分解斜視図，図５はモータ取付部材の形状の一例を示す三面図，図６はモータ取付部材の形状の別例を示す三面図，図７は熱交換器取付部材がモータ取付部材に取り付けられた状態を示す図である。
まず，図１の組立斜視図を用いて，上記室外機Ｘの概略構成について説明する。なお，図１は説明の便宜上，室外機Ｘの筐体１４の天板１４ａ及び側板１４ｂを破線で示し，内部構成を透過した状態を示す。
上記室外機Ｘは，図示するように，冷媒を圧縮する圧縮機１５と，アキュムレータ１６と，上記圧縮機１５で圧縮されることにより冷媒管を循環する冷媒と外気との間で熱交換する熱交換器１０と，該熱交換器１０に向けて送風する送風装置Ｚと，少なくとも上記送風装置Ｚを支持する鉛直方向に長い送風装置支持部材Ｙ（詳しくは後述する）と，当該室外機Ｘに用いられる電気機器を収容する電装箱（電装ボックス）１２と，これらの構成要素を収容する筐体１４等を備えて構成されている。
上記送風装置Ｚは，送風ファン１１がモータ８の駆動軸に連結されて構成されており，上記モータ８は上記電装箱１２に収容された図示しない電源回路から電力が供給され，図示しない制御回路（モータドライバ等）により制御されることにより回転駆動される。この送風装置では，上記送風ファン１１は反時計方向に回転されることで，筐体１４の背面から前面側へ送風する。これにより，熱交換器１０における熱交換が促進される。
上記室外機Ｘの筐体１４は，天板１４ａ，側板１４ｂ，底板１４ｃがそれぞれ組み合わされることにより上記各構成要素を収容し得る形状をなす。この筐体１４は，その内部空間が遮蔽板１３（仕切板に相当）によって二つの空間に仕切られており，具体的には，上記送風装置Ｚ及び送風装置支持部材Ｙ等を収容する送風ファン収容室１８と，圧縮機１５やその周辺の部品，配管類等を収容する機械室１９とに仕切られている。このように内部空間が仕切られることにより，送風ファン収容室１８から機械室１９への雨水等の浸水が防止されると共に，機械室１９内の圧縮機１５の振動，騒音の外部への漏洩が防止される。
上記熱交換器１０は，正面から見て左側面の側板と背面の側板とに沿うようにして曲げられた平面視で略Ｌ字形状を有しており，筐体１４の底板１４ｃに立設するように配置されている。また，その鉛直方向の長さ（高さ）は，筐体１４の天板１４ａに達する程度に設計されている。
上記電装箱１２は，送風ファン収容室１８から機械室１９にかけてそれらの上部に設けられており，図示するように，送風ファン収容室１８と機械室１９とに亘って，上記遮蔽板１３の上端部を跨ぐように配置されている。このとき，上記電装箱１２の下面を上記遮蔽板１３の上端部に当接させるようにして上記電装箱１２が配設される。これにより，上記遮蔽板１３によって上記電装箱１２が支持される。また，上記電装箱１２は，図示しない保持具等によって筐体１４に固定的に強固に取り付けられている。この構成により，上記電装箱１２が室外機Ｘの補強リブを兼ねるため，室外機Ｘの強度が増す。
【０００８】
ここで，図２及び図３を用いて，上記送風装置支持部材Ｙの概略構成及び取付構造について説明する。なお，図２は便宜上，送風ファン１１，天板１４ａ，側板１４ｂ及び機械室１９の構成要素等を取り除いた状態を示す。
上記送風装置支持部材Ｙは，図３に示すように，鉛直方向に伸びる左右一対の断面略コの字状の支柱１（支柱部材に相当）に，モータ取付部材２，熱交換器支持部材５及び補強リブ７がビス止め或いはスポット溶接等により固定されることにより構成される。なお，上記補強リブ７は，モータ取付部材２の上方に取り付けられているが，モータ取付部材２の下方に設けてもよく，また，必要強度如何によっては，複数の補強リブを設けてもかまわない。
上記支柱１の上端及び下端は略Ｌ字状に折り曲げられることによりそれぞれ上記電装箱１２の下面及び筐体１４の底面１４ｃに接合する接合面１ａ，１ｂ，１ｃ，１ｄを形成している。これらの接合面が上記電装箱１２の下面及び上記底面１４ｃにビス止めなどで固定されることにより上記送風装置支持部材Ｙが室外機Ｘの内部に取り付けられる。具体的には，上記支柱１の下端の接合面１ｃ，１ｄに開けられた貫通穴３ｃ，３ｄを貫通しつつ，筐体１４の底面１４ｃに開けられた取付穴にタッピングビスをねじ込み締結することにより支柱１の下端が固定され，電装箱１２の下面に開けられた貫通穴を貫通しつつ，上記支柱１の接合面１ａ，１ｂに開けられた取付穴３ａ，３ｂにタッピングビスをねじ込み締結することにより支柱１の上端が電装箱１２の下面に取り付けられて固定される。このとき，電装箱１２の取付穴近傍に突設された図示しない突起が，上記接合面１ａ，１ｂに開けられた図示しない位置決め穴に挿嵌されることにより，支柱１が電装箱１２に対して精度良く位置決めされる。
このようにして上記送風装置支持部Ｙが取り付けられた状態を図２に示す。図示するように，上記電装箱１２がファン収容室１８の上部に配設されている場合は，上記電装箱１２を支柱１の上端に載せた状態でビス止め作業などを行うことができるので，上記送風装置支持部Ｙを容易に取り付けることが可能となる。
なお，本実施形態では，支柱１の上端が電装箱１２の下面に直接取り付けられる例について説明するが，上記電装箱１２が所定の保持部材でその底面が保持されている場合は，上記電装箱１２を該保持部材を介して間接的に取り付けることが可能である。
また，本実施形態では，上記支柱１をサイズ不変のリジット部材として用いた場合であるが，例えば，左右一対の支柱１それぞれを第１の支柱と第２の支柱とで構成し，第１の支柱の一部を第２の支柱に摺動自在に収容するようにして，支柱全体の長さを伸縮させて調整できるようにすることも可能である。このような伸縮機構としては，適宜の長さに固定することのできるラッチ等を有するスライド機構等の周知の機構を適用することが可能である。これにより，モータ支持部Ｙの各構成部品を変えることなく，異なる高さの熱交換器１０に対応することができる。
【０００９】
続いて，図４〜図７を参照しながら，前記したモータ取付部材２及び熱交換器支持部材５について説明する。
図４の分解斜視図に示すように，上記モータ取付部材２は，送風装置Ｚのモータ８を取り付ける略正方形のブラケットであって，左右に併設された支柱１，１の両方に架け渡されて，その上下方向略中央部に取り付けられている。図４及び図５に示すように，上記モータ取付部材２の左右両端は正面から見て背面側へ略Ｌ字状に折り曲げられており，その両端の折り曲げ部２ｅは，略コの字状の支柱１の左右外側端部に嵌合するサイズに形成されている。上記モータ取付部材２の四隅には貫通口２ａが開けられており，上記折り曲げ部２ｅが支柱１に嵌合した状態で，該貫通口２ａを貫通しつつ上記支柱１に開けられた取付穴３ｅにタッピングビスをねじ込み締結することによりモータ取付部材２が支柱１に取り付けられる。この場合も，上記取付穴３ｅの近傍に突設された図示しない突起が，上記貫通口２ａの近傍に開けられた位置決め穴２ｂ（図５参照）に挿嵌されることにより，モータ取付部材２が支柱１に対して精度良く位置決めされる。
また，上記支柱１には，上記取付穴３ｅが上下方向に所定間隔ずらして複数個設けられている。そのため，上記モータ取付部材２を該支柱１の上下方向の上記取付穴３ｅに対応した任意の位置に取り付けることが可能となっている。
【００１０】
モータ取付部材２の正面中央には，モータ８の本体８ａの外周と嵌合する略円形状の開口部２ｃが設けられている。この開口部２ｃにモータ８の本体８ａが嵌挿され，そして，その本体８ａの外周側面に設けられた取付部８ｂに開けられた貫通穴８ｂａを貫通しつつ，モータ取付部材２の開口部２ｃ周辺に開けられた取付穴２ｄにタッピングビスをねじ込み締結することにより上記モータ８が取り付けられる。なお，上記取付穴２ｄは，モータ８の取付強度を確保するために，後方（背面方向）に突き出したバーリング穴となっている。
【００１１】
また，図５の三面図に示すように，モータ取付部材２は，板金材を絞り加工することにより厚みを持たせ，更に正面から見て左右に対向する平面視略Ｌ字状の切り起こし部２ｆを設けた構造となっている。これら切り起こし部２ｆは，図示するように円弧形状に型抜きされており，これによりモータ８の本体８ａが嵌合する略円形状の上記開口部２ｃが形成される。なお，図５の（ａ）はモータ取付部材２の正面図，（ｂ）は平面図，（ｃ）は側面図である。
更に，モータ取付部材２の上端には，側面視略Ｌ字状で後方へ突設する折り曲げ部２ｇが形成されている。この折り曲げ部２ｇの両側端それぞれの近傍には，複数（本実施形態では３つ）の取付穴２ｈが形成されている。この取付穴２ｈは後述する熱交換器支持部材５をモータ取付部材２に取り付ける際に用いられるものであり，詳細は後述する。
このように上記モータ取付部材２が構成されることにより，上記支柱１にモータ取付部材２を取り付けることが可能となる。
【００１２】
ここで，ある室外機に用いられていた送風装置支持部材を他の室外機に流用する場合を考える。例えば，送風装置のモータの仕様や機種が異なり，その取り付けに互換性が無いような場合は，送風装置支持部材そのものを設計し直すのではなく，モータ取付部材のみを使用するモータが取り付け得る部材に置換すれば足りる。したがって，この場合は，例えば，図６に示すモータ取付部材２−１などを適用すればよい。このモータ取付部材２−１は，前記した図５に示すモータ取付部材２とは異なり，機種の異なるモータが嵌合し得るようモータが嵌合される開口部２ｃが大径化されている。また，モータの外形状に合わせて，開口部２ｃの周縁部にはモータを取り付けるためのビス穴やモータを係止するための係止部の役目を果たす切り欠き部２ｉが設けられており，更に上記開口部２ｃの周縁部には，モータ８を位置決めするための突起２ｊが設けられている。ただし，上記したほかは，図５に示すモータ取付部材２と異なるところはなく，そのため，このモータ取付部材２−１も，上記モータ取付部材２と同様に支柱１に取り付けることができる。即ち，上記モータ取付部材２とモータ取付部材２−１には，支柱１に対して取付互換性を有する。
このようにして，送風装置支持部材Ｙの一部分であるモータ取付部材を変更することで，大きさ或いは形状（取付穴ピッチを含む）の異なるモータ８の取り付けが可能となる。この場合，モータ取付部材２が板金材より成り，プレス金型で製作されるものであれば，複数工程で用いられる複数のプレス金型のうち，打ち抜き型のみを新規に製作し，他の金型は共通使用することで対応できる。したがって，部品の共有のみならず，金型を共有することで，金型費用の低減化を図ることができ，更に，一金型当たりの生産量が増えることから，部品のコスト低減にも繋がる。
【００１３】
次に，熱交換器支持部材５について説明する。図４に示すように，上記熱交換器支持部材５は，略Ｌ字状のアングルであって，上記モータ取付部材２に取り付けられる側の本体部５ａと，熱交換器１０を支持する側の折り曲げ部５ｂとを有してなる。この熱交換器支持部材５がモータ取付部材２に取り付けられた状態を図７に示す。なお，図７（ａ）は図２のＡ−Ａ線断面図であり，（ｂ）は図２のＢ−Ｂ線断面図である。
図７に示すように，上記本体部５ａの両端部それぞれの近傍には，複数（本実施形態では４つ）の貫通穴５ｃが形成されている。また，これらの貫通穴５ｃは上記モータ取付部材２の前記折り曲げ部２ｇ（図５）に設けられた前期取付穴２ｈ（図５）と位置対応するよう形成されている。したがって，上記熱交換器支持部材５の上記モータ取付部材２（の折り曲げ部２ｇ）への取り付けは，まず，選択された上記貫通穴５ｃにビス等の締結部品を貫通させ，そして，対応する取付穴２ｈにタッピングビスをねじ込み締結することにより上記熱交換器支持部材５がモータ取付部材２に取り付けられる。
このように構成されているため，上記貫通穴５ｃに対応する上記取付穴２ｈを変更することにより，モータ取付部材２に対する熱交換器支持部材５の取付位置を，熱交換器１０に向かう方向（矢印Ｐ）で任意に変更することができる。これにより，室外機の機種によって熱交換器の厚さが異なる場合であっても，上記熱交換器支持部材５の取付位置を適宜調整することで，送風装置支持部材Ｙを共用することが可能となる。また，場合によっては，上記熱交換器支持部材５のみを変更するだけで該熱交換器支持部材５を除く送風装置支持部材Ｙを共用することが可能となる。
また，上記熱交換器支持部材５の折り曲げ部５ｂの裏面には，例えば，図示しないクッションシートや弾性ゴムシート等の弾性部材が貼り付けられており，これを介して，上記熱交換器支持部材５と上記熱交換器１０の内壁とが当接している。これにより，室外機の輸送中の振動や落下等による支柱１或いは熱交換器１０やそのフィン等の損傷が防止され得る。
なお，上述の説明では，モータ取付部材２に上記熱交換器支持部材５を取り付ける例について説明したが，もちろん，上記熱交換器支持部材５が上記支柱１に取付可能に設けられ，上記熱交換器１０を支持するものであってもよい。
【００１４】
このように，熱交換器支持部材５の取付位置について，上述したように複数の取付穴を設けることにより，熱交換器１０と熱交換器支持部材５との距離を任意に設定することができる。なお，モータ８若しくは筐体１４が軽量であるなどの理由で高い強度が必要でない場合はこのような熱交換器支持部材は不要である。
ここで，上記支柱１の上端を折り曲げて側断面視略コの字状のリブを形成することで，上記熱交換器支持部材５に代替することができる。即ち，上記リブの上記熱交換器１０に対向する面にクッションシートや弾性ゴムシート等の弾性部材を貼り付け，これを介して，上記リブと上記熱交換器１０の内壁とを当接させるようにしてもかまわない。この場合，上記リブが上記熱交換器支持部材に相当する。
【図面の簡単な説明】
【００１５】
【図１】本発明の一実施形態に係る空気調和機の室外機Ｘの構成を示す組立斜視図。
【図２】送風装置支持部材Ｙが室外機Ｘ内に取り付けられた状態を示す図。
【図３】モータが取り付けられた状態の送風装置支持部材Ｙの組立斜視図。
【図４】送風装置支持部材Ｙの分解斜視図。
【図５】モータ取付部材の形状の一例を示す三面図。
【図６】モータ取付部材の形状の別例を示す三面図。
【図７】熱交換器取付部材がモータ取付部材に取り付けられた状態を示す図。
【符号の説明】
【００１６】
Ｘ…室外機
Ｙ…送風装置支持部材
Ｚ…送風装置
１…支柱（支柱部材に相当）
２…モータ取付部材
５…熱交換器支持部材
７…補強リブ
８…モータ
１０…熱交換器
１１…送風ファン
１２…電装箱（電装ボックスに相当）
１３…遮蔽板（仕切板に相当）
１４ａ…天板
１４ｂ…側板
１４ｃ…底板
１５…圧縮機
１６…アキュムレータ
１７…バルブ
１８…送風ファン収容室
１９…機械室
【図１】
2006226644.tif 000003
【図２】
2006226644.tif 000004
【図３】
2006226644.tif 000005
【図４】
2006226644.tif 000006
【図５】
2006226644.tif 000007
【図６】
2006226644.tif 000008
【図７】
2006226644.tif 000009